【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
流体を収容する流体容器であって、
当該流体容器の本体部内における複数の凹部より成る複数の凹部対であって各凹部対においては２つの凹部が互いにマッチするものを含み、
１つの凹部対において、各凹部は、当該流体容器のうち、互いに対向する両側において、所定の向きを有するように配置されており、
前記複数の凹部は、当該流体容器を物理的に取り扱うためのハードウェアと接合するように構成されており、
当該流体容器は、さらに、
剛性を付与する複数の剛性付与リブを含み、
各剛性付与リブは、当該流体容器の前記本体部における前記複数の凹部のうちの２つの凹部の間を延びており、
当該流体容器は、さらに、２つ流入口／流出口組立体を含み、
各流入口／流出口組立体は、当該流体容器内に流体を流入する流入口、当該流体容器が放出姿勢にある状態で当該流体容器のうちの最下点まで延びるストローから流体を流出させる流出口、および、当該流体容器内の圧力を大気圧と均一にするベントとして作用するように構成される流体容器。
【請求項２】
１つの凹部対において、各凹部は、底部構造体であって、同じ凹部対における相手側の凹部の底部構造体から区別される請求項１に記載の流体容器。
【請求項３】
１つの凹部対において、各凹部は、相手側の凹部と、当該流体容器の内部にある共通の底部構造体の位置において、接し合う請求項１に記載の流体容器。
【請求項４】
１つの凹部対において、各凹部は、当該流体容器を全体的に通過するように延びているとともに、同じ凹部対において、相手方の凹部と隣接する請求項１に記載の流体容器。
【請求項５】
各凹部は、当該流体容器の前記本体部内において、皿穴と座ぐり穴との一方を含む請求項１に記載の流体容器。
【請求項６】
各凹部は、１度と１０度との範囲内の抜き勾配を有する請求項１に記載の流体容器。
【請求項７】
各剛性付与リブは、それの両端部がそれぞれフレア状端部(flared ends、外向きにラッパ状を成す端部、末広がり状端部）であるとともに、各剛性付与リブは、前記複数の凹部のうちの２つの凹部であってそれら凹部の間を前記各剛性付与リブが延びているものに連続していない請求項１に記載の流体容器。
【請求項８】
各剛性付与リブは、前記複数の凹部のうちの２つの凹部であってそれら凹部の間を前記各剛性付与リブが延びているものに連続するとともに、前記２つの凹部を互いに連結する請求項１に記載の流体容器。
【請求項９】
各剛性付与リブは、当該流体容器の前記本体部内における成形チャネルであり、その成形チャネルは、当該流体容器の前記本体部から内向き(inward、内向き法線方向）および外向き（outward、外向き法線方向）のうちのいずれかの向きに突出している請求項１に記載の流体容器。
【請求項１０】
前記２つの流入口／流出口組立体は、当該流体容器の前記本体部内の凹所の中に配置される請求項１に記載の流体容器。
【請求項１１】
前記２つの流入口／流出口組立体の各々は、フィルタを含み、
そのフィルタは、前記流体と、圧力均一化を行う気体であって前記２つの流入口／流出口組立体を通過するものとのうちの一方または両方から汚染物質をろ過するように構成される請求項１０に記載の流体容器。
【請求項１２】
当該流体容器の前記本体部の、幅寸法に対する高さ寸法のアスペクト比率と、幅寸法に対する長さ寸法のアスペクト比率とのうち一方または両方が４を超える請求項１に記載の流体容器。
【請求項１３】
流体を収容する流体容器を使用する方法であって、
前記流体容器の本体部における複数の凹部より成る複数の凹部対であって各凹部対においては２つの凹部が互いにマッチするもののそれぞれの対を容器取扱い用ハードウェアに接合する接合工程であって、１つの凹部対において、各凹部は、前記流体容器のうち、互いに対向する両側において、所定の向きを有するように配置されているものと、
前記流体容器を前記複数の凹部からサスペンドするサスペンド工程であって、前記複数の凹部においては、複数の剛性付与リブの各々が、前記流体容器の前記本体部において前記複数の凹部のうちの２つの凹部の間を延びているものと、
前記流体容器が充填姿勢にある状態で、２つの流入口／流出口組立体のうちのいずれかを用いて前記流体容器をある体積の流体で充填するとともに、前記流体容器内の圧力を大気圧と均一にするために前記流体容器をベントする充填・ベント工程と、
前記流体容器内の圧力を大気圧と均一にするために前記流体容器をベントしつつ、前記流体容器が放出姿勢にある状態で、前記２つの流入口／流出口組立体のうちのいずれかのストローであって前記流体容器のうちの最下点まで延びるものを用いて、前記流体容器内の、前記ある体積の流体を放出する放出工程と
を含む方法。
【請求項１４】
さらに、
前記流体容器が前記充填姿勢から相転移姿勢に変化させられた状態で、前記流体容器内の、前記ある体積の流体を凍結する凍結工程と、
前記流体容器が前記相転移姿勢にある状態で、前記流体容器内の、前記ある体積の流体を解凍する解凍工程と
を含む請求項１３に記載の方法。
【請求項１５】
前記２つの流入口／流出口組立体は、前記流体容器の前記本体部内の凹所の中に配置される請求項１３に記載の方法。
【請求項１６】
前記充填姿勢において、前記２つの流入口／流出口組立体のうちの一方が、前記流体容器のヘッドスペースであって他の流入口／流出口組立体より上方に位置するものの内部に配置される請求項１３に記載の方法。
【請求項１７】
前記相転移姿勢において、前記２つの流入口／流出口組立体のうちの双方が、前記流体容器のヘッドスペース内に配置される請求項１４に記載の方法。
【請求項１８】
前記流体容器のうちの最下点は、対を成す２つのトラフの一方に配置され、それぞれのトラフは、前記流体容器から流体が放出される間、前記２つの流入口／流出口組立体のうちの一方に関連付けられ、それにより、その関連付けられた流入口／流出口組立体まで流体が流し込まれる請求項１３に記載の方法。
【請求項１９】
流体容器であって、
当該流体容器の本体部における複数の凹部より成る複数の凹部対であって各凹部対においては２つの凹部が互いにマッチするものを含み、
１つの凹部対において、各凹部は、当該流体容器のうち、互いに対向する両側において、所定の向きを有するように配置されており、
各凹部は、剛体である当該流体容器を全体的に通過するように延びているとともに、１つの凹部対において、相手方の凹部と隣接しており、
各凹部は、当該流体容器の前記本体部内において、皿穴と座ぐり穴との一方を含み、
各凹部は、当該流体容器を物理的に取り扱うためのハードウェアと接合するように構成されており、
当該流体容器は、さらに、剛性を付与する複数の剛性付与リブを含み、
各剛性付与リブは、当該流体容器の前記本体部における前記複数の凹部のうちの２つの凹部の間を延びており、
各剛性付与リブは、それの両端部がフレア状端部(flared ends、外向きにラッパ状を成す端部、末広がり状端部）であるとともに、前記複数の凹部のうちの２つの凹部であってそれら凹部の間を前記各剛性付与リブが延びているものに連続しておらず、
当該流体容器は、さらに、２つの流入口／流出口組立体を含み、
それら流入口／流出口組立体は、当該流体容器の前記本体部内の凹所の中に配置され、
各流入口／流出口組立体は、当該流体容器内に流体を流入する流入口、当該流体容器が放出姿勢にある状態で当該流体容器のうちの最下点まで延びるストローから流体を流出させる流出口、および、当該流体容器内の圧力を大気圧と均一にするベントとして作用するように構成される流体容器。
【請求項２０】
当該流体容器の前記本体部の、幅寸法に対する高さ寸法のアスペクト比率と、幅寸法に対する長さ寸法のアスペクト比率とのうち一方または両方が４を超える請求項１９に記載の流体容器。
【請求項２１】
複数の流体容器の配列である流体容器列であって、
複数の小形の流体容器とマッチするプロファイルを有する大形の流体容器を含み、
各流体容器の本体部に複数の凹部より成る複数の凹部対であって各凹部対においては２つの凹部が互いにマッチするものが存在し、
１つの凹部対において、各凹部は、各流体容器のうち、互いに対向する両側において、所定の向きを有するように配置されており、
前記複数の凹部は、前記複数の流体容器を物理的に取り扱うためのハードウェアと接合するように構成されており、
当該流体容器列は、さらに、剛性を付与する複数の剛性付与リブを含み、
各剛性付与リブは、各流体容器の前記本体部における前記複数の凹部のうちの２つの凹部の間を延びており、
２つの流入口／流出口組立体が各流体容器の前記本体部内の凹所の中に配置され、各流入口／流出口組立体は、各流体容器内に流体を流入する流入口、各流体容器から流体を流出させる流出口、および、各流体容器内の圧力を大気圧と均一にするベントのうちの少なくとも２つとして作用するように構成される流体容器列。
【請求項２２】
前記大形の流体容器における複数の凹部対の各々は、小形の各流体容器における前記複数の凹部対のうちのいずれかと位置合わせされている請求項２１に記載の流体容器列。
【請求項２３】
さらに、対を成す２つのトラフを含み、それぞれのトラフは、当該流体容器から流体が放出される間、前記２つの流入口／流出口組立体のうちの一方に関連付けられ、それにより、その関連付けられた流入口／流出口組立体まで流体が流し込まれる請求項１に記載の流体容器。